Podtech/llm-jp-corpus-v4-ja_patent huggingface dataset:
【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
アイアン型ゴルフクラブヘッドにおいて、
上記アイアン型ゴルフクラブヘッドの末端近くに位置づけられ第１の密度の第１の材料から製造されるブレード部であって、ゴルフボールを打撃するように適合化された打撃フェースおよび背面を形成する、上記ブレード部と、
上記アイアン型ゴルフクラブヘッドの基端部近くに位置づけられ第２の密度の第２の材料から製造されるホーゼル部と、
上記アイアン型ゴルフクラブヘッドの底近くに位置づけられ第３の密度の第３の材料から製造されるソールインサート部とを有し、
上記第１の密度は上記第２の密度より小さく、
上記第２の密度は上記第３の密度より小さく、
上記ブレード部の重量を上記ホーゼル部の重量で割った比は２．０未満であり、
上記アイアン型ゴルフクラブヘッドのフェースセンタからＸ軸に沿ってヒール方向に３０ｍｍの距離に位置し、上記打撃フェースと直角な平面として定義される分岐平面により上記ブレード部および上記ホーゼル部の分離が定義されることを特徴とするアイアン型ゴルフクラブヘッド。
【請求項２】
アイアン型ゴルフクラブヘッドを製造する方法において、
第１の密度の第１の材料のブレード部をロッド形態で準備するステップと、
第２の密度の第２の材料のホーゼル部をロッド形態で準備するステップと、
上記ブレード部を上記ホーゼル部と一緒にスピン溶接してプレフォーム鋼片を形成するステップと、
上記アイアン型ゴルフクラブヘッドの所望の形状に上記プレフォーム鋼片を鍛造するステップと、
上記アイアン型ゴルフクラブヘッドの底の近くにソールキャビティをマシン形成するステップと、
第３の密度の第３の材料からソールインサートを形成してその形状を上記ソールキャビティの周囲の輪郭と相補的な形状にするステップと、
上記ソールインサートを上記ソールキャビティ内に結合するステップとを有し、
上記アイアン型ゴルフクラブヘッドのフェースセンタからＸ軸に沿ってヒール方向に３０ｍｍの距離に位置し、上記打撃フェースと直角な平面として定義される分岐平面により上記ブレード部および上記ホーゼル部の分離が定義されることを特徴とするアイアン型ゴルフクラブヘッドの製造方法。
【請求項３】
アイアン型ゴルフクラブヘッドにおいて、
上記アイアン型ゴルフクラブヘッドの末端近くに位置づけられ、ゴルフボールを打撃するように適合化された打撃フェースおよび背面を形成するブレード部と、
上記アイアン型ゴルフクラブヘッドの基端部近くに位置づけられるホーゼル部と、
上記アイアン型ゴルフクラブヘッドの底近くに位置づけられるソールインサート部とを有し、
上記アイアン型ゴルフクラブヘッドのフェースセンタからＸ軸に沿ってヒール方向に３０ｍｍの距離に位置し、上記打撃フェースと直角な平面として定義される分岐平面により上記ブレード部および上記ホーゼル部の分離が定義され、
上記ブレード部の総重量は１１０グラム未満であることを特徴とするアイアン型ゴルフクラブヘッド。
【請求項４】
アイアン型ゴルフクラブヘッドにおいて、
上記アイアン型ゴルフクラブヘッドの末端近くに位置づけられ第１の密度の第１の材料から製造されるブレード部であって、ゴルフボールを打撃するように適合化された打撃フェースおよび背面を形成する、上記ブレード部と、
上記アイアン型ゴルフクラブヘッドの基端部近くに位置づけられ第２の密度の第２の材料から製造されるホーゼル部と、
上記アイアン型ゴルフクラブヘッドの底近くに位置づけられ第３の密度の第３の材料から製造されるソールインサート部とを有し、
上記第１の密度は上記第２の密度より小さく、
上記第２の密度は上記第３の密度より小さく、
上記打撃フェースおよび上記背面は組合わさって上記アイアン型ゴルフクラブヘッドの上記底の近くで上記ソールインサートを挟み込むことを特徴とするアイアン型ゴルフクラブヘッド。
【手続補正書】
【提出日】平成24年3月29日(2012.3.29)
【手続補正１】
【補正対象書類名】明細書
【補正対象項目名】００１０
【補正方法】変更
【補正の内容】
【００１０】
＜ニトリルゴムコンパウンド＞
ニトリルゴムとしては、NBRまたはHNBRが用いられ、好ましくは中高ニトリル(CN含量31〜35％)〜高ニトリル(CN含量36〜42％)、さらに好ましくは中高ニトリルのものが用いられる。NBRとしては、市販品、例えばJSR製品N235S、日本ゼオン製品Nipol 1041等が用いられる。HNBRは、アクリロニトリルブタジエンゴム中の炭素-炭素二重結合のみを選択的に水素化することにより得られるゴムであり、ニトリルゴムと比較して耐熱老化性、耐候性、耐化学薬品性が改良されているといった特徴がある。かかるHNBRとしては、好ましくはヨウ素価30以下、さらに好ましくは耐熱屈曲性の点からヨウ素価が10〜15のものが用いられ、本発明では市販品、例えば日本ゼオン製品Zetpol 2000(ヨウ素価7以下)、同社製品Zetpol 2020(ヨウ素価28)、同社製品Zetpol 2020L(ヨウ素価28)、同社製品Zetpol 2010(ヨウ素価11)などが用いられる。
【手続補正書】
【提出日】平成25年6月6日(2013.6.6)
【手続補正１】
【補正対象書類名】特許請求の範囲
【補正対象項目名】全文
【補正方法】変更
【補正の内容】
【特許請求の範囲】
【請求項１】
常時入球可能な第１特別図柄始動口と、
開閉変化する可変入賞装置からなる第２特別図柄始動口と、を設け、
該第１特別図柄始動口又は該第２特別図柄始動口への遊技球の入球に起因して抽出した乱数値に基づいて、遊技者にとって有利な大当り遊技を発生させるか否かを抽選し、前記第２特別図柄始動口への入球に起因して抽出した乱数値を、前記第１特別図柄始動口への入球に起因して抽出した乱数値よりも優先して抽選する主制御装置と、
該主制御装置から受信する前記抽選の結果に基づく表示制御コマンドに従って複数の表示演出の中より１つの表示演出を決定するサブ制御装置と、
を備えた弾球遊技機において、
前記主制御装置に、
前記第１特別図柄始動口への入球に起因して抽出し前記抽選を未実施の乱数値を所定の上限数まで第１特別図柄の保留記憶として記憶し、前記第２特別図柄始動口への入球に起因して抽出し前記抽選を未実施の乱数値を所定の上限数まで第２特別図柄の保留記憶として記憶する保留記憶手段と、
該保留記憶手段の保留記憶数更新に基づく前記第１特別図柄又は前記第２特別図柄の保留記憶数指示コマンドを前記サブ制御装置に送信する保留記憶数送信手段と、
前記保留記憶手段に記憶された乱数値、又は該乱数値が大当りの期待できる特定の値であるか否かを前記抽選の実施以前に確認した結果、を含む先読み判定信号を、前記サブ制御装置に送信する先読み判定信号送信手段と、を備え、
前記サブ制御装置に、
受信した前記先読み判定信号が前記特定の値を示す場合、該特定の値より以前に前記保留記憶手段に記憶された乱数値の前記抽選の結果に基づく表示演出から、複数の前記抽選の結果に基づく表示演出に亘って、連続性または継続性が示唆される特定の演出を表示する連続演出を実行するか否かを決定する連続演出決定手段を備え、
該連続演出決定手段は、少なくとも前記特定の値が前記保留記憶手段に記憶された後に、該保留記憶手段に所定数の乱数値が新たに記憶され、該所定数の乱数値が記憶された後の前記表示演出を決定する際に、前記特定の値を示す乱数値より以前に前記保留記憶手段に記憶された乱数値の前記抽選の結果に基づく前記表示演出が未実施であることを条件に前記連続演出の実行を決定し、
前記連続演出決定手段が行う新たに記憶された乱数値の数が前記所定数に達するか否かの判定は、前記特定の値が前記保留記憶手段に記憶された後の前記第１特別図柄始動口への入球に起因して抽出した乱数値の数のみに応じて実施する
ことを特徴とする弾球遊技機。
【手続補正２】
【補正対象書類名】明細書
【補正対象項目名】００１２
【補正方法】変更
【補正の内容】
【００１２】
請求項１記載のパチンコ遊技機は、
常時入球可能な第１特別図柄始動口と、
開閉変化する可変入賞装置からなる第２特別図柄始動口と、を設け、
該第１特別図柄始動口又は該第２特別図柄始動口への遊技球の入球に起因して抽出した乱数値に基づいて、遊技者にとって有利な大当り遊技を発生させるか否かを抽選し、前記第２特別図柄始動口への入球に起因して抽出した乱数値を、前記第１特別図柄始動口への入球に起因して抽出した乱数値よりも優先して抽選する主制御装置と、
該主制御装置から受信する前記抽選の結果に基づく表示制御コマンドに従って複数の表示演出の中より１つの表示演出を決定するサブ制御装置と、
を備えた弾球遊技機において、
前記主制御装置に、
前記第１特別図柄始動口への入球に起因して抽出し前記抽選を未実施の乱数値を所定の上限数まで第１特別図柄の保留記憶として記憶し、前記第２特別図柄始動口への入球に起因して抽出し前記抽選を未実施の乱数値を所定の上限数まで第２特別図柄の保留記憶として記憶する保留記憶手段と、
該保留記憶手段の保留記憶数更新に基づく前記第１特別図柄又は前記第２特別図柄の保留記憶数指示コマンドを前記サブ制御装置に送信する保留記憶数送信手段と、
前記保留記憶手段に記憶された乱数値、又は該乱数値が大当りの期待できる特定の値であるか否かを前記抽選の実施以前に確認した結果、を含む先読み判定信号を、前記サブ制御装置に送信する先読み判定信号送信手段と、を備え、
前記サブ制御装置に、
受信した前記先読み判定信号が前記特定の値を示す場合、該特定の値より以前に前記保留記憶手段に記憶された乱数値の前記抽選の結果に基づく表示演出から、複数の前記抽選の結果に基づく表示演出に亘って、連続性または継続性が示唆される特定の演出を表示する連続演出を実行するか否かを決定する連続演出決定手段を備え、
該連続演出決定手段は、少なくとも前記特定の値が前記保留記憶手段に記憶された後に、該保留記憶手段に所定数の乱数値が新たに記憶され、該所定数の乱数値が記憶された後の前記表示演出を決定する際に、前記特定の値を示す乱数値より以前に前記保留記憶手段に記憶された乱数値の前記抽選の結果に基づく前記表示演出が未実施であることを条件に前記連続演出の実行を決定し、
前記連続演出決定手段が行う新たに記憶された乱数値の数が前記所定数に達するか否かの判定は、前記特定の値が前記保留記憶手段に記憶された後の前記第１特別図柄始動口への入球に起因して抽出した乱数値の数のみに応じて実施する
ことを特徴とする弾球遊技機である。
【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
当選役抽選を行って、複数種類の当選役のいずれかまたはハズレを決定する当選役決定手段と、前記当選役抽選で当選役が当選する当選確率を変更する設定変更手段とを備え、遊技モードから設定変更モードへと切り替え、当選確率を選択した後に確定操作を行って当選確率を確定することで当選確率が変更されるスロットマシンにおいて、
遊技を開始するためのスタートレバー、クレジットされたメダルをベットするためのベットボタン、リールの回転を停止するためのストップボタンのうち少なくとも２つが前記確定操作に兼用される確定操作部として設定されており、前記設定変更手段は、設定された確定操作部が前記設定変更モード中に操作された際に前記当選確率の変更を行うとともに、
複数の記憶領域を有し、過去の遊技結果と現在の遊技状態との少なくとも一方を含む複数種類の遊技情報を、遊技情報の種類に対応する記憶領域に一時的に記憶する作業用メモリと、
前記当選確率の変更が行われた際に、前記作業用メモリに記憶された遊技情報のうち、前記当選確率の変更時に操作された確定操作部の種類に対応する記憶領域に記憶された遊技情報を消去する記憶制御手段とを備えたことを特徴とするスロットマシン。
【請求項２】
当選役抽選を行って、複数種類の当選役のいずれかまたはハズレを決定する当選役決定手段と、前記当選役抽選で当選役が当選する当選確率を変更する設定変更手段とを備え、遊技モードから設定変更モードへと切り替え、当選確率を選択した後に確定操作を行って当選確率を確定することで当選確率が変更されるスロットマシンにおいて、
遊技を開始するためのスタートレバー、クレジットされたメダルをベットするためのベットボタン、リールの回転を停止するためのストップボタンのうち少なくとも２つが前記確定操作に兼用される確定操作部として設定されており、前記設定変更手段は、設定された確定操作部が前記設定変更モード中に操作された際に前記当選確率の変更を行うとともに、
複数の記憶領域を有し、過去の遊技結果と現在の遊技状態との少なくとも一方を含む複数種類の遊技情報を、遊技情報の種類に対応する記憶領域に一時的に記憶する作業用メモリと、
前記当選確率の変更が行われた際に、前記作業用メモリに記憶された遊技情報のうち、前記当選確率の変更時に操作された確定操作部の種類と所定条件の組合せに対応する記憶領域に記憶された遊技情報を消去する記憶制御手段とを備えたことを特徴とするスロットマシン。
【手続補正２】
【補正対象書類名】明細書
【補正対象項目名】０００８
【補正方法】変更
【補正の内容】
【０００８】
上記目的を達成するために、本発明のスロットマシンは、当選役抽選を行って、複数種類の当選役のいずれかまたはハズレを決定する当選役決定手段と、前記当選役抽選で当選役が当選する当選確率を変更する設定変更手段とを備え、遊技モードから設定変更モードへと切り替え、当選確率を選択した後に確定操作を行って当選確率を確定することで当選確率が変更されるスロットマシンにおいて、遊技を開始するためのスタートレバー、クレジットされたメダルをベットするためのベットボタン、リールの回転を停止するためのストップボタンのうち少なくとも２つが前記確定操作に兼用される確定操作部として設定されており、前記設定変更手段は、設定された確定操作部が前記設定変更モード中に操作された際に前記当選確率の変更を行うとともに、複数の記憶領域を有し、過去の遊技結果と現在の遊技状態との少なくとも一方を含む複数種類の遊技情報を、遊技情報の種類に対応する記憶領域に一時的に記憶する作業用メモリと、前記当選確率の変更が行われた際に、前記作業用メモリに記憶された遊技情報のうち、前記当選確率の変更時に操作された確定操作部の種類に対応する記憶領域に記憶された遊技情報を消去する記憶制御手段とを備えたことを特徴としている。
【手続補正３】
【補正対象書類名】明細書
【補正対象項目名】０００９
【補正方法】変更
【補正の内容】
【０００９】
また、本発明のスロットマシンは、当選役抽選を行って、複数種類の当選役のいずれかまたはハズレを決定する当選役決定手段と、前記当選役抽選で当選役が当選する当選確率を変更する設定変更手段とを備え、遊技モードから設定変更モードへと切り替え、当選確率を選択した後に確定操作を行って当選確率を確定することで当選確率が変更されるスロットマシンにおいて、遊技を開始するためのスタートレバー、クレジットされたメダルをベットするためのベットボタン、リールの回転を停止するためのストップボタンのうち少なくとも２つが前記確定操作に兼用される確定操作部として設定されており、前記設定変更手段は、設定された確定操作部が前記設定変更モード中に操作された際に前記当選確率の変更を行うとともに、複数の記憶領域を有し、過去の遊技結果と現在の遊技状態との少なくとも一方を含む複数種類の遊技情報を、遊技情報の種類に対応する記憶領域に一時的に記憶する作業用メモリと、前記当選確率の変更が行われた際に、前記作業用メモリに記憶された遊技情報のうち、前記当選確率の変更時に操作された確定操作部の種類と所定条件の組合せに対応する記憶領域に記憶された遊技情報を消去する記憶制御手段とを備えたことを特徴としている。
【手続補正書】
【提出日】平成24年12月11日(2012.12.11)
【手続補正１】
【補正対象書類名】特許請求の範囲
【補正対象項目名】全文
【補正方法】変更
【補正の内容】
【特許請求の範囲】
【請求項１】
シートに形成される画像の画像データを取得する画像データ取得部と、
画像形成される前記シートを識別する識別情報を取得する識別情報取得部と、
所定の化学反応によって消色する消色性着色剤によって、前記シートに、前記画像データ取得部にて取得された画像データに基づく画像を形成し、前記消色性着色剤が消色する化学反応によっては消色しない非消色性着色剤によって、前記シートに、前記識別情報に基づく識別情報画像を形成する画像形成部と、
前記識別情報と、前記識別情報に対応する前記識別情報画像が形成された前記シートに形成される画像の前記画像データと、を対応付けて所定の記憶領域に格納させる記憶制御部と、
を備える画像形成装置。
【請求項２】
請求項１に記載の画像形成装置において、
前記画像形成部は、前記非消色性着色剤によって前記識別情報画像を前記シートに形成する第１の画像形成部と、前記消色性着色剤によって前記画像を前記シートに形成する第２の画像形成部と、を備える画像形成装置。
【請求項３】
請求項２に記載の画像形成装置において、
前記第１の画像形成部と前記第２の画像形成部のうち、一方がインクジェット方式の画像形成部であり、他方が電子写真方式の画像形成部であり、電子写真方式によって画像形成された後にインクジェット方式で画像形成される画像形成装置。
【請求項４】
請求項１から３のいずれか一つに記載の画像形成装置において、
前記シートに形成された識別情報画像を読み取る識別情報画像読取部をさらに備え、
前記画像形成部は、前記画像データ取得部によって取得された画像データに基づいて、前記識別情報画像読取部によって前記識別情報画像が読み取られたシートに前記消色性着色剤によって画像を形成する処理を行い、
前記記憶制御部は、前記識別情報画像読取部によって読み取られた識別情報画像に対応する前記識別情報と、前記識別情報画像が読み取られた前記シートに形成される画像の画像データと、を対応付けて格納させる画像形成装置。
【請求項５】
請求項１から４のいずれか一つに記載の画像形成装置において、
前記シートに形成された識別情報画像を読み取る識別情報画像読取部と、
前記識別情報画像読取部によって読み取られた識別情報画像に対応する前記識別情報に対応付けられて格納されている画像データを前記所定の記憶領域から取得する格納画像データ取得部をさらに備える画像形成装置。
【請求項６】
請求項５に記載の画像形成装置において、
前記画像形成部は、前記格納画像データ取得部が取得した画像データに基づいて、画像をシートに形成する画像形成装置。
【請求項７】
請求項６に記載の画像形成装置において、
前記画像形成部は、前記識別情報画像読取部が識別情報画像を読み取ったシートに対して前記画像を形成する画像形成装置。
【請求項８】
請求項１から７のいずれか一つに記載の画像形成装置において、
前記シートに形成された識別情報画像を読み取る識別情報画像読取部と、
前記識別情報画像読取部によって前記識別情報画像が読み取られた場合には、第１のシート載置部にシートを搬送し、前記識別情報画像が読み取られなかった場合には、第２のシート載置部にシートを搬送するよう制御するシート仕分制御部と、
前記シート仕分制御部の制御に基づいて、シートの仕分けを行うシート仕分部と、
をさらに備える画像形成装置。
【請求項９】
請求項３に記載の画像形成装置において、
前記第１の画像形成部は、電子写真方式の画像形成部であり、
前記第２の画像形成部は、インクジェット方式の画像形成部であり、
前記第１の画像形成部において形成される現像剤像をシートに熱定着させる処理と、前記消色性着色剤によって形成された画像を熱エネルギーにより消色させる処理を行う定着・消色部と、
前記定着・消色部において定着処理又は消色処理されたシートを、前記消色性着色剤の色が消える消色温度よりも低い温度まで冷却する冷却部と、をさらに備える画像形成装置。
【請求項１０】
請求項３に記載の画像形成装置において、
前記第１の画像形成部は、電子写真方式の画像形成部であり、
前記第２の画像形成部は、インクジェット方式の画像形成部であり、
前記第１の画像形成部において形成される現像剤像をシートに熱定着させる処理と、前記消色性着色剤によって形成された画像を熱エネルギーにより消色させる処理を行う定着・消色部と、
前記定着・消色部においてシートに形成された画像を消色させる処理が行われた場合に、前記定着・消色部を冷却する冷却部と、をさらに備える画像形成装置。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
構造体の製造方法であって、
第１の層と第２の層とがこの順で積層されている基板を用意する工程と、
前記構造体を形成するための型となる型部材の一部である第２の型を前記第２の層から形成する工程と、
前記第２の型をマスクとして前記第１の層をエッチングして、前記型部材の他の一部である第１の型を前記第１の層から形成する工程と、
前記第１の型と前記第２の型とを被覆するように前記構造体となる被覆層を設ける工程と、
前記第１の型と前記第２の型とを除去して前記構造体を形成する工程と、
を含み、
前記第１の層のエッチングは、前記第２の型から前記基板に向かう方向にみて、前記第２の型の内側の領域内に前記第１の型が形成されるように行う構造体の製造方法。
【請求項２】
前記第１の層の厚さは前記第２の層の厚さより小さい請求項１に記載の構造体の製造方法。
【請求項３】
前記第１の層のエッチングは溶解液によって行い、前記第１の層は前記第２の層よりも前記溶解液に対する溶解性が高い請求項１又は２に記載の構造体の製造方法。
【請求項４】
前記第１の層及び前記第２の層は樹脂で形成されている請求項１乃至３のいずれかに記載の構造体の製造方法。
【請求項５】
前記第２の層は主鎖分解型のポジ型感光性樹脂からなり、前記第１の層は下記一般式（１）で表される構造を有する樹脂からなる請求項１乃至４のいずれかに記載の構造体の製造方法。
【化１】
2010253945.tif 000001
（一般式（１）中、Ｘ、Ｙはいずれも芳香環を有する２〜６価の有機基であり、Ｒ１は、水酸基、−ＯＲ３のいずれかであり、Ｒ３は炭素数１〜１５の有機基である。また、Ｒ２は水酸基、カルボキシル基、−ＯＲ３、−ＣＯＯＲ３のいずれかであり、ｍ、ｎは０〜４の整数のいずれかである。）
【請求項６】
前記第１の層はポリイミドからなる請求項１乃至５のいずれかに記載の構造体の製造方法。
【請求項７】
溶解液としてアルカリ性の溶液を用いて前記第１の層をエッチングする請求項１乃至６のいずれかに記載の構造体の製造方法。
【請求項８】
前記第２の型を前記第２の層から形成する工程は、前記第２の層を有機溶剤によって現像することで行う請求項１乃至７のいずれかに記載の構造体の製造方法。
【請求項９】
液体を吐出する吐出口と、該吐出口に連通した液体の流路の壁を備えた流路壁部材と、を有する液体吐出ヘッドの製造方法であって、
請求項１乃至８のいずれかに記載の構造体の製造方法によって製造した構造体を用意する工程と、前記被覆層に対して前記吐出口となる開口を形成する工程と、を有し、
前記第１の型と前記第２の型とが除去されることでできる空間が前記流路となる液体吐出ヘッドの製造方法。
【手続補正書】
【提出日】平成25年2月6日(2013.2.6)
【手続補正１】
【補正対象書類名】特許請求の範囲
【補正対象項目名】全文
【補正方法】変更
【補正の内容】
【特許請求の範囲】
【請求項１】
円板状の記録メディア上を主走査方向へ往復移動するキャリッジと、
前記記録メディアを載置した状態で副走査方向へ移動可能に設けられるプリンタトレイと、
前記キャリッジに設けられ、前記キャリッジの主走査方向への移動および前記プリンタトレイの副走査方向への移動に伴って前記記録メディアの印刷領域に対してインクを吐出することにより所定のオブジェクトを印刷するインクヘッドと、
前記キャリッジに設けられ、前記記録メディアの印刷領域の基準となる位置を示す基準位置表示マークを検出する検出部と、
前記検出部による前記基準位置表示マークの検出結果に基づいて、前記記録メディアを回転させる印刷位置制御部と、
を備えることを特徴とするレーベルプリンター。
【請求項２】
円板状の記録メディア上を主走査方向へ往復移動するキャリッジと、
前記記録メディアを載置した状態で副走査方向へ移動可能に設けられるプリンタトレイと、
前記キャリッジに設けられ、前記キャリッジの主走査方向への移動および前記プリンタトレイの副走査方向への移動に伴って前記記録メディアの印刷領域に対してインクを吐出することにより所定のオブジェクトを印刷するインクヘッドと、
前記キャリッジに設けられ、前記記録メディアの印刷領域の基準となる位置を示す基準位置表示マークを検出する検出部と、
前記検出部による前記基準位置マークの検出結果に基づいて、前記オブジェクトの印刷データを回転させる印刷位置制御部と、
を備えることを特徴とするレーベルプリンター。
【請求項３】
前記検出部は、前記印刷領域に印刷されている他のオブジェクトまたは、前記印刷領域外にあるマークを前記基準位置表示マークとして検出する請求項１または２に記載のレーベルプリンター。
【請求項４】
前記基準位置表示マークは、前記インクヘッドにより印刷され、
前記検出部は、印刷された前記基準位置表示マークを検出する請求項１または２に記載のレーベルプリンター。
【請求項５】
円板状の記録メディア上を主走査方向へ往復移動するキャリッジ、前記記録メディアを載置した状態で副走査方向へ移動可能に設けられるプリンタトレイ、前記キャリッジに設けられて前記キャリッジの主走査方向への移動および前記プリンタトレイの副走査方向への移動に伴って前記記録メディアの印刷領域に対してインクを吐出することにより所定のオブジェクトを印刷するインクヘッド、前記キャリッジに設けられて前記記録メディアの印刷領域の基準となる位置を示す基準位置表示マークを検出する検出部、及び前記検出部による前記基準位置表示マークの検出結果に基づいて前記記録メディアを回転させる印刷位置制御部を有する印刷部と、
前記記録メディアを複数保管するメディア保管部と、
前記メディア保管部もしくは前記レーベルプリンターへ前記記録メディアを搬送するメディア搬送部と、
を備えることを特徴とするメディア処理装置。
【請求項６】
円板状の記録メディア上を主走査方向へ往復移動するキャリッジ、前記記録メディアを載置した状態で副走査方向へ移動可能に設けられるプリンタトレイ、前記キャリッジに設けられて前記キャリッジの主走査方向への移動および前記プリンタトレイの副走査方向への移動に伴って前記記録メディアの印刷領域に対してインクを吐出することにより所定のオブジェクトを印刷するインクヘッド、前記キャリッジに設けられて前記記録メディアの印刷領域の基準となる位置を示す基準位置表示マークを検出する検出部、及び前記検出部による前記基準位置表示マークの検出結果に基づいて前記記録メディアを回転させる印刷位置制御部を有するレーベルプリンターと、
前記レーベルプリンターの動作を制御するホストコンピューターと、
を備えることを特徴とするメディア処理システム。
【手続補正２】
【補正対象書類名】明細書
【補正対象項目名】０００６
【補正方法】変更
【補正の内容】
【０００６】
本発明の一の形態は、上記課題を解決することのできるレーベルプリンターであって、円板状の記録メディア上を主走査方向へ往復移動するキャリッジと、前記記録メディアを載置した状態で副走査方向へ移動可能に設けられるプリンタトレイと、前記キャリッジに設けられ、前記キャリッジの主走査方向への移動および前記プリンタトレイの副走査方向への移動に伴って前記記録メディアの印刷領域に対してインクを吐出することにより所定のオブジェクトを印刷するインクヘッドと、前記キャリッジに設けられ、前記記録メディアの印刷領域の基準となる位置を示す基準位置表示マークを検出する検出部と、前記検出部による前記基準位置表示マークの検出結果に基づいて、前記記録メディアを回転させる印刷位置制御部と、を備えることを特徴とする。
【手続補正３】
【補正対象書類名】明細書
【補正対象項目名】０００８
【補正方法】変更
【補正の内容】
【０００８】
また、本発明の一の形態は、円板状の記録メディア上を主走査方向へ往復移動するキャリッジと、前記記録メディアを載置した状態で副走査方向へ移動可能に設けられるプリンタトレイと、前記キャリッジに設けられ、前記キャリッジの主走査方向への移動および前記プリンタトレイの副走査方向への移動に伴って前記記録メディアの印刷領域に対してインクを吐出することにより所定のオブジェクトを印刷するインクヘッドと、前記キャリッジに設けられ、前記記録メディアの印刷領域の基準となる位置を示す基準位置表示マークを検出する検出部と、前記検出部による前記基準位置マークの検出結果に基づいて、前記オブジェクトの印刷データを回転させる印刷位置制御部と、を備えることを特徴とする。
【手続補正４】
【補正対象書類名】明細書
【補正対象項目名】００１１
【補正方法】変更
【補正の内容】
【００１１】
さらに、上記一の形態において、前記基準位置表示マークは、前記インクヘッドにより印刷され、前記検出部は、印刷された前記基準位置表示マークを検出することが好ましい。これにより、基準位置表示マークを記録メディアに予め設ける必要がない。
【手続補正書】
【提出日】平成25年11月6日(2013.11.6)
【手続補正１】
【補正対象書類名】特許請求の範囲
【補正対象項目名】全文
【補正方法】変更
【補正の内容】
【特許請求の範囲】
【請求項１】
Ｐｔ（ＩＩ）およびＰｔ（ＩＶ）から選択される白金中心を有し、下記式Ｉ、ＩＩ、ＩＩＩおよびＩＶ：
【化１】
2013227218.tif 000001
（式中、Ｒ１、およびＲ２は、それぞれ、ＮＨ３、メチルアミン、エチルアミン、プロピルアミン、イソプロピルアミン、ブチルアミン、シクロヘキサンアミン、アニリン、ピリジン、および置換ピリジンから独立して選択され、
式Ｉにおいて、Ｒ１およびＲ２が両方ともＮＨ３であることはなく、
Ｒ３は、置換または非置換の脂肪族または芳香族ジアミンから選択され、
Ｓは、それぞれ、水酸化物、酢酸、酪酸、およびアルファ−ヒドロキシ酸から独立して選択される）
から選択される式で表される、少なくとも１種の単離されたモノマーピロホスフェート−白金錯体、またはその薬学的に許容される塩を含む組成物。
【請求項２】
式Ｉ：
【化２】
2013227218.tif 000002
で表される単離されたモノマー白金錯体またはその薬学的に許容される塩を含む、請求項１に記載の組成物。
【請求項３】
式ＩＩ：
【化３】
2013227218.tif 000003
で表される単離されたモノマー白金錯体またはその薬学的に許容される塩を含む、請求項１に記載の組成物。
【請求項４】
シス−ジアミン−トランス−ジヒドロキソ（二水素ピロホスファト）白金（ＩＶ）を含む、請求項３に記載の組成物。
【請求項５】
式ＩＩＩ：
【化４】
2013227218.tif 000004
で表される単離されたモノマー白金錯体またはその薬学的に許容される塩を含む、請求項１に記載の組成物。
【請求項６】
Ｒ３が、エチレンジアミンおよびシクロヘキサンジアミンから選択される、請求項５に記載の組成物。
【請求項７】
Ｒ３が、シクロヘキサンジアミンである、請求項６に記載の組成物。
【請求項８】
（トランス−１，２−シクロヘキサンジアミン）（二水素ピロホスファト）白金（ＩＩ）を含む、請求項７に記載の組成物。
【請求項９】
式ＩＶ：
【化５】
2013227218.tif 000005
で表される単離されたモノマー白金錯体またはその薬学的に許容される塩を含む、請求項１に記載の組成物。
【請求項１０】
Ｒ３が、エチレンジアミンおよびシクロヘキサンジアミンから選択される、請求項９に記載の組成物。
【請求項１１】
１，２−エタンジアミン−トランス−ジヒドロキソ（二水素ピロホスファト）白金（ＩＶ）を含む、請求項１０に記載の組成物。
【請求項１２】
（トランス−１，２−シクロヘキサンジアミン）−トランス−ジヒドロキソ（二水素ピロホスファト）白金（ＩＶ）を含む、請求項１０に記載の組成物。
【請求項１３】
（ｉ）シス−ジアミン−トランス−ジヒドロキソ（二水素ピロホスファト）白金（ＩＶ）；
（ｉｉ）（トランス−１，２−シクロヘキサンジアミン）（二水素ピロホスファト）白金（ＩＩ）；
（ｉｉｉ）（トランス−１，２−シクロヘキサンジアミン）−トランス−ジヒドロキソ（二水素ピロホスファト）白金（ＩＶ）
（ｉｖ）１，２−エタンジアミン−トランス−ジヒドロキソ（二水素ピロホスファト）白金（ＩＶ）および
（ｖ）その薬学的に許容される塩
から選択される1種または複数種の単離されたモノマー白金錯体を含み、各単離されたモノマー白金錯体またはその塩が、約６から約８のｐＨの水溶液中で安定である、請求項１〜１２のいずれか1項に記載の組成物。
【請求項１４】
医薬組成物である、請求項１〜１３のいずれか1項に記載の組成物。
【請求項１５】
哺乳動物に投与された場合に、単離されたモノマーピロホスフェート−白金錯体がＤＮＡに結合しない、請求項１〜１４のいずれか1項に記載の組成物。
【請求項１６】
単離されたモノマーピロホスフェート−白金錯体が、システインまたはメチオニン残基のチオール基による同時連結によるそのピロホスフェート配位子の置換によって細胞表面タンパク質に結合する、請求項１５に記載の組成物。
【手続補正書】
【提出日】平成25年6月6日(2013.6.6)
【手続補正１】
【補正対象書類名】明細書
【補正対象項目名】０００３
【補正方法】変更
【補正の内容】
【０００３】
また、反転機能付きの吊り具で、角度を可変させることは可能だが、ロールの中空部と治具の寸法の差が小さい場合は、微調整ができず、こじれた方向が作業者には判断できない為、治具と荷役物がこじてしまうという不具合があった。
【特許文献１】特開２００７−２４５２６３号公報
【手続補正書】
【提出日】平成25年2月15日(2013.2.15)
【手続補正１】
【補正対象書類名】特許請求の範囲
【補正対象項目名】全文
【補正方法】変更
【補正の内容】
【特許請求の範囲】
【請求項１】
アンモニア中で窒化物結晶を成長させるアモノサーマル法において、
前記アンモニア中に臭化アンモニウムかヨウ化アンモニウムの少なくとも一方が溶解しており、
前記窒化物結晶の原料を前記アンモニア中に溶解する領域の温度と、前記窒化物結晶を成長させる領域の温度の差が５〜７０℃であることを特徴とするアモノサーマル法。
【請求項２】
前記窒化物結晶を成長させる領域の温度が４９５〜６４５℃の範囲内であることを特徴とする請求項１に記載のアモノサーマル法。
【請求項３】
前記窒化物結晶の成長時の圧力が７５〜２００ＭＰａの範囲内であることを特徴とする請求項１または２に記載のアモノサーマル法。
【請求項４】
アンモニア中で窒化物結晶を成長させるアモノサーマル法において、
前記アンモニア中に臭化アンモニウムかヨウ化アンモニウムの少なくとも一方が溶解しており、
前記窒化物結晶の成長時の圧力が７５〜２００ＭＰａの範囲内であることを特徴とするアモノサーマル法。
【請求項５】
前記窒化物結晶を成長させる領域の温度が４９５〜６４５℃の範囲内であることを特徴とする請求項４に記載のアモノサーマル法。
【請求項６】
ヨウ化アンモニウムが溶解したアンモニア中で窒化物結晶を成長させることを特徴とする請求項１〜５のいずれか一項に記載のアモノサーマル法。
【請求項７】
臭化アンモニウムが溶解したアンモニア中で窒化物結晶を成長させることを特徴とする請求項１〜５のいずれか一項に記載のアモノサーマル法。
【請求項８】
前記原料を溶解する領域の温度と前記窒化物結晶を成長させる領域の温度を、下記式（１）で表される過飽和度ΔＳが０．０３〜０．４３の範囲内になるように設定することを特徴とする請求項１〜７のいずれか一項に記載のアモノサーマル法。
【数１】
2011032154.tif 000001
【請求項９】
種結晶上に前記窒化物結晶を成長させることを特徴とする請求項１〜８のいずれか一項に記載のアモノサーマル法。
【請求項１０】
前記種結晶の表面粗さ（Ｒｍｓ）が０．０３〜１．０ｎｍであることを特徴とする請求項９に記載のアモノサーマル法。
【請求項１１】
前記窒化物結晶の成長前に、前記種結晶の表面から加工変質層を除去することを特徴とする請求項９または１０に記載のアモノサーマル法。
【請求項１２】
前記種結晶が窒化ガリウム結晶であることを特徴とする請求項９〜１１のいずれか一項に記載のアモノサーマル法。
【請求項１３】
前記種結晶が六方晶の窒化ガリウム結晶であることを特徴とする請求項１２に記載のアモノサーマル法。
【請求項１４】
請求項１〜１３のいずれか一項に記載のアモノサーマル法により製造される窒化物結晶。
【請求項１５】
臭素元素またはヨウ素元素を含むことを特徴とする窒化物単結晶。
【請求項１６】
臭素元素またはヨウ素元素を含むことを特徴とする窒化ガリウム単結晶。
【請求項１７】
六方晶であることを特徴とする請求項１６に記載の窒化ガリウム単結晶。
【手続補正書】
【提出日】平成24年12月11日(2012.12.11)
【手続補正１】
【補正対象書類名】特許請求の範囲
【補正対象項目名】全文
【補正方法】変更
【補正の内容】
【特許請求の範囲】
【請求項１】
顔料と、ポリマーエマルジョンと、水と、水溶性有機溶剤とを含んでなるインク組成物であって、
前記顔料が、その表面に、スルホン酸基（−ＳＯ2ＯＨ）、スルフィン酸基（−ＲＳＯ2Ｈ：ＲはＣ1〜Ｃ12のアルキル基又はフェニル基およびその誘導体）、スルホン酸アニオン基（−ＳＯ3-）、スルフィン酸アニオン基（−ＲＳＯ2：ＲはＣ1〜Ｃ12のアルキル基又はフェニル基およびその誘導体）、カルボン酸基（−ＣＯ2Ｈ）、および、カルボン酸アニオン基（−ＣＯ2-）からなる群から選択される少なくとも１種の親水性基を有し、
前記ポリマーエマルジョンがポリマー微粒子を含んでなり、
前記ポリマー微粒子が、水と、モノマーと、乳化剤と、重合開始剤とを混合して乳化重合反応させ、その後に、一価の無機水酸化物を添加して、ｐＨ値を中性〜アルカリ性の範囲に調製することにより製造されたものである、インク組成物。
【請求項２】
顔料と、ポリマーエマルジョンと、水と、水溶性有機溶剤とを含んでなるインク組成物であって、
前記ポリマーエマルジョンがポリマー微粒子を含んでなり、
前記ポリマー微粒子が、水と、モノマーと、乳化剤と、重合開始剤とを混合して乳化重合反応させ、その後に、一価の無機水酸化物を添加して、ｐＨ値を８〜１０の範囲に調製することにより製造されたものである、インク組成物。
【請求項３】
前記ポリマー微粒子が、ｐＨ値が７〜１０の範囲となるようにｐＨ値を調整することにより製造されたものである、請求項１に記載のインク組成物。
【請求項４】
前記ポリマー微粒子が、カルボキシル基を有する不飽和ビニルモノマーに由来する構造を１〜１０重量％含んでなり、かつ、重合可能な二重結合を二つ以上有する架橋性モノマーによって架橋された構造を有し、該架橋性モノマーに由来する構造を０．２〜４重量％含有してなるものである、請求項１〜３のいずれか一項に記載のインク組成物。
【請求項５】
インク組成物を付着させて記録媒体に印刷を行う記録方法であって、前記インク組成物として請求項１〜４のいずれか一項に記載のものを用いる、記録方法。
【請求項６】
前記記録方法が、インク組成物の液滴を吐出し、該液滴を記録媒体に付着させて印刷を行うインクジェット記録方法である、請求項５に記載の記録方法。
【請求項７】
請求項５または６に記載の記録方法によって印刷された、記録物。
【手続補正書】
【提出日】平成25年6月18日(2013.6.18)
【手続補正１】
【補正対象書類名】特許請求の範囲
【補正対象項目名】全文
【補正方法】変更
【補正の内容】
【特許請求の範囲】
【請求項１】
シートを排出するシート排出手段が設けられた装置本体と、
前記装置本体の上方に設けられ、前記装置本体に対して上方に移動可能な上部ユニットと、
前記装置本体と前記上部ユニットとの間に設けられ、前記シート排出手段から排出されたシートを積載するシート積載部と、
前記シート積載部に積載されたシートに上方から当接するよう回動可能に設けられたレバー部材と、
前記上部ユニットが上方に移動するとき、前記上部ユニットとともに移動するように前記レバー部材を前記上部ユニットに対して所定の保持位置で係止する係止手段と、を有し、
前記上部ユニットが上方に移動した際、前記係止手段により前記所定の保持位置で係止されたレバー部材に対して、前記所定の保持位置より更に下方に回動させる方向に力が加えられた場合に、前記係止手段は、前記レバー部材との係合を解除することを特徴とするシート積載装置。
【請求項２】
前記係止手段は、前記レバー部材に係合解除可能に係合することによって前記レバー部材を前記所定の保持位置に保持することを特徴とする請求項１に記載のシート積載装置。
【請求項３】
前記係止手段は、前記レバー部材を弾性的に保持することを特徴とする請求項１又は２に記載のシート積載装置。
【請求項４】
前記保持が解除されたレバー部材は、前記上部ユニットを下方に移動させることで前記シート積載部に当接し、前記シート積載部から前記レバー部材を回動させる力を受けて、前記係止手段が前記レバー部材を再び弾性的に保持することを特徴とする請求項３に記載のシート積載装置。
【請求項５】
前記レバー部材は、前記シート積載部に積載されたシートの積載方向の高さを検知する検知手段を備えていることを特徴とする請求項１乃至請求項４のいずれか１項に記載のシート積載装置。
【請求項６】
シートに画像を形成する画像形成部と、前記画像形成部で画像が形成されたシートを排出するシート排出手段と、を有する装置本体と、
前記装置本体の上方に設けられ、前記装置本体に対して上方に移動可能な上部ユニットと、
前記装置本体と前記上部ユニットとの間に設けられ、前記シート排出手段から排出されたシートを積載するシート積載部と、
前記シート積載部に積載されたシートに上方から当接するよう前記上部ユニットに回動可能に設けられたレバー部材と、
前記上部ユニットが上方に移動するとき、前記上部ユニットとともに移動するように前記レバー部材を前記上部ユニットに対して所定の保持位置で係止する係止手段と、を有し、
前記上部ユニットが上方に移動した際、前記係止手段により前記所定の保持位置で係止されたレバー部材に対して、前記所定の保持位置より更に下方に回動させる方向に力が加えられた場合に、前記係止手段は、前記レバー部材との係合を解除することを特徴とする画像形成装置。
【請求項７】
前記係止手段は、前記レバー部材に係合解除可能に係合することによって前記レバー部材を前記所定の保持位置に保持することを特徴とする請求項６に記載の画像形成装置。
【請求項８】
前記係止手段は、前記レバー部材を弾性的に保持することを特徴とする請求項６又は７に記載の画像形成装置。
【請求項９】
前記保持が解除されたレバー部材は、前記上部ユニットを下方に移動させることで前記シート積載部に当接し、前記シート積載部から前記レバー部材を回動させる力を受けて、前記係止手段が前記レバー部材を再び弾性的に保持することを特徴とする請求項８に記載の画像形成装置。
【請求項１０】
前記レバー部材は、前記シート積載部に積載されたシートの積載方向の高さを検知する検知手段を備えていることを特徴とする請求項６乃至請求項９のいずれか１項に記載の画像形成装置。
【手続補正２】
【補正対象書類名】明細書
【補正対象項目名】０００９
【補正方法】変更
【補正の内容】
【０００９】
上記課題を解決するため、本発明は、シートを排出するシート排出手段が設けられた装置本体と、前記装置本体の上方に設けられ、前記装置本体に対して上方に移動可能な上部ユニットと、前記装置本体と前記上部ユニットとの間に設けられ、前記シート排出手段から排出されたシートを積載するシート積載部と、前記シート積載部に積載されたシートに上方から当接するよう回動可能に設けられたレバー部材と、前記上部ユニットが上方に移動するとき、前記上部ユニットとともに移動するように前記レバー部材を前記上部ユニットに対して所定の保持位置で係止する係止手段と、を有し、前記上部ユニットが上方に移動した際、前記係止手段により前記所定の保持位置で係止されたレバー部材に対して、前記所定の保持位置より更に下方に回動させる方向に力が加えられた場合に、前記係止手段は、前記レバー部材との係合を解除することを特徴とする。
【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
ドーナツ状のガラス基板の内周端面および/または外周端面を加工する端面加工工程と、
前記ガラス基板の内周端面および/または外周端面における厚さ方向の対称性を評価する評価工程と、
前記評価工程に基づき、良品・不良品を判断する判断工程とを含み、
前記評価工程は、
（ａ）前記ガラス基板の側面から見た両方の主表面および面取部の外形プロファイルを取得し、
（ｂ）前記両主表面の前記外形プロファイルを重ね合わせ、
（ｃ）前記重ね合わせから対称性を測定し、前記対称性を評価し、
前記判断工程により良品と判断されたものを磁気記録媒体用ガラス基板とする磁気記録媒体用ガラス基板の製造方法。
【請求項２】
前記（ｂ）は、
前記ガラス基板の主表面の外形プロファイルの最小二乗線を求め、前記最小二乗線に対する中線を求め、
前記中線に沿って前記主表面の外形プロファイルを重ね合わせる、請求項１記載の磁気記録媒体用ガラス基板の製造方法。
【請求項３】
前記（ｃ）は、以下の少なくとも１つの値に基づいて対称性を評価する、請求項２記載の磁気記録媒体用ガラス基板の製造方法。
（ｉ）前記ガラス基板の端面の平行線を引いた場合における、前記面取部の重なり合わない部分の前記平行線の距離。
（ｉｉ）前記主表面と前記面取部との境界の、前記面取部の重なり合わない部分の距離。
（ｉｉｉ）前記面取部の重なり合わない部分の面積。
【請求項４】
前記（ａ）は、前記断面の法線方向が前記ガラス基板の前記中心軸と直交するように前記ガラス基板を切断し、前記ガラス基板の断面形状を測定することにより前記外形プロファイルを取得し、取得した前記外形プロファイルを画像化し、
前記（ｂ）は、画像化した前記主表面を重ね合わせる、請求項３記載の磁気記録媒体用ガラス基板の製造方法。
【請求項５】
２つの主表面を有し、内孔が形成された円板である本体と、前記内孔の端面である内周端面と、前記円板の外周の端面である外周端面と、前記内周端面および前記外周端面が前記主表面側に面取された面取部を有し、
前記ガラス基板の側面から見た２つの前記主表面の外形プロファイルの最小二乗線に対する中線に沿って２つの前記主表面および前記面取部の外形プロファイルを重ね合わせた状態で、前記ガラス基板の端面の平行線を引いた場合における、前記面取部の重なり合わない部分の前記平行線の距離が１４０μｍ以下である、磁気記録媒体用ガラス基板。
【請求項６】
２つの主表面を有し、内孔が形成された円板である本体と、前記内孔の端面である内周端面と、前記円板の外周の端面である外周端面と、前記内周端面および前記外周端面が前記主表面側に面取された面取部を有し、
前記ガラス基板の側面から見た２つの前記主表面の外形プロファイルの最小二乗線に対する中線に沿って２つの前記主表面および前記面取部の外形プロファイルを重ね合わせた状態で、前記主表面と前記面取部との境界の、前記面取部の重なり合わない部分の距離が１４０μｍ以下である、磁気記録媒体用ガラス基板。
【請求項７】
２つの主表面を有し、内孔が形成された円板である本体と、前記内孔の端面である内周端面と、前記円板の外周の端面である外周端面と、前記内周端面および前記外周端面が前記主表面側に面取された面取部を有し、
前記ガラス基板の側面から見た２つの前記主表面の外形プロファイルの最小二乗線に対する中線に沿って２つの前記主表面および前記面取部の外形プロファイルを重ね合わせた状態で、前記面取部の重なり合わない部分の面積が２１０００μｍ２以下である、磁気記録媒体用ガラス基板。
【手続補正書】
【提出日】平成25年4月11日(2013.4.11)
【手続補正１】
【補正対象書類名】特許請求の範囲
【補正対象項目名】全文
【補正方法】変更
【補正の内容】
【特許請求の範囲】
【請求項１】
プリンタドライバのユーザインタフェースに対する操作に従って印刷物の部数を指定する第１指定手段と、
プリンタドライバのユーザインタフェースに対する操作に従って前記印刷物を一単位としてまとめて積載する指定部数の印刷物が排紙されることでメッセージが通知される指定部数スタック機能の使用するために前記指定部数を指定する第２指定手段と、
前記第１指定手段により指定された部数と、前記第３指定手段により指定された指定部数に基づいて印刷ジョブを生成する生成手段と、
前記生成手段により生成された前記印刷ジョブを画像形成装置に対して送信する送信手段と、を備える情報処理装置。
【請求項２】
前記指定部数の設定可能な上限値を、前記印刷ジョブの部数と同じ値とすることを特徴とする請求項１に記載の情報処理装置。
【請求項３】
前記指定部数の設定可能な上限値を前記印刷ジョブの部数と同じ値とするか、後処理装置の最大積載部数と同じ値とするかを判断する判断手段をさらに有する請求項１又は２に記載の情報処理装置。
【請求項４】
前記部数と、前記後処理装置の最大積載部数のうち、値の小さい方を前記指定部数として設定可能な上限値とすることを特徴とする請求項３に記載の情報処理装置。
【請求項５】
前記ユーザインタフェースにおいて、前記指定部数の印刷物が一単位としてまとめて積載されるたびごとに印刷完了の情報を受け取って、前記メッセージを表示する表示手段を有する請求項１乃至４のいずれか１項に記載の情報処理装置。
【請求項６】
前記生成手段は、画像形成装置が指定部数毎の積載機能をサポートしているかどうかを判断し、サポートしている場合にはプリンタドライバを用いて画像形成装置において指定部数毎にまとまった印刷物を出力させる１つの印刷ジョブを生成することを特徴とする請求項１乃至５のいずれか１項に記載の情報処理装置。
【請求項７】
前記生成手段は、画像形成装置が指定部数毎の積載機能をサポートしているかどうかを判断し、サポートしていない場合にはプリンタドライバを用いて指定部数毎に印刷ジョブを分割することを特徴とする請求項１乃至６のいずれか１項に記載の情報処理装置。
【請求項８】
プリンタドライバのユーザインタフェースに対する操作に従って印刷物の部数を指定する第１指定工程と、
プリンタドライバのユーザインタフェースに対する操作に従って前記印刷物を一単位としてまとめて積載する指定部数の印刷物が排紙されることでメッセージが通知される指定部数スタック機能の使用するために前記指定部数を指定する第２指定工程と、
前記第１指定工程により指定された部数と、前記第３指定工程により指定された指定部数に基づいて印刷ジョブを生成する生成工程と、
前記生成工程により生成された前記印刷ジョブを画像形成装置に対して送信する送信工程と、を備える制御方法。
【請求項９】
コンピュータを、
プリンタドライバのユーザインタフェースに対する操作に従って印刷物の部数を指定する第１指定手段と、
プリンタドライバのユーザインタフェースに対する操作に従って前記印刷物を一単位としてまとめて積載する指定部数の印刷物が排紙されることでメッセージが通知される指定部数スタック機能の使用するために前記指定部数を指定する第２指定手段と、
前記第１指定手段により指定された部数と、前記第３指定手段により指定された指定部数に基づいて印刷ジョブを生成する生成手段と、
前記生成手段により生成された前記印刷ジョブを画像形成装置に対して送信する送信手段として機能させる制御プログラム。
【請求項１０】
前記指定部数の設定可能な上限値を、前記印刷ジョブの部数と同じ値とすることを特徴とする請求項９に記載の制御プログラム。
【請求項１１】
前記指定部数の設定可能な上限値を前記印刷ジョブの部数と同じ値とするか、後処理装置の最大積載部数と同じ値とするかを判断する判断手段をさらに有する請求項９又は１０に記載の制御プログラム。
【請求項１２】
前記部数と、前記後処理装置の最大積載部数のうち、値の小さい方を前記指定部数として設定可能な上限値とすることを特徴とする請求項１１に記載の制御プログラム。
【請求項１３】
前記ユーザインタフェースにおいて、前記指定部数の印刷物が一単位としてまとめて積載されるたびごとに印刷完了の情報を受け取って、前記メッセージを表示する表示手段を有する請求項９乃至１２のいずれか１項に記載の制御プログラム。
【請求項１４】
前記生成手段は、画像形成装置が指定部数毎の積載機能をサポートしているかどうかを判断し、サポートしている場合にはプリンタドライバを用いて画像形成装置において指定部数毎にまとまった印刷物を出力させる１つの印刷ジョブを生成することを特徴とする請求項９乃至１３のいずれか１項に記載の制御プログラム。
【請求項１５】
前記生成手段は、画像形成装置が指定部数毎の積載機能をサポートしているかどうかを判断し、サポートしていない場合にはプリンタドライバを用いて指定部数毎に印刷ジョブを分割することを特徴とする請求項９乃至１４のいずれか１項に記載の制御プログラム。
【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
感光体の帯電に使用されるコロノード帯電装置であって、
回転可能なシャフトおよび前記シャフトに沿ってらせん状に配置された雄ねじとを有する支持部材と、
前記支持部材に沿って設置されるフィラメントであって、前記フィラメントの複数の活動領域と複数の非活動領域を作るように配置されるとともに、前記活動領域が前記感光体に隣接して配置されたフィラメントと、
前記フィラメントのうち、前記活動領域に対応する部分が、前記非活動領域に対応する位置に移動され、前記フィラメントのうち、前記非活動部分にあったいくつかの部分が前記活動領域に対応する位置に移動されるように前記フィラメントを移動させる調整メカニズムと、
前記フィラメントに電圧を供給する電圧源と、
を備え、
前記フィラメントは前記シャフトの周囲に巻きつけられ、前記雄ねじによって画定される溝の中に配置される、
ことを特徴とするコロノード帯電装置。